(57)【特許請求の範囲】
【請求項１】
選別穴（１）が多数形成された選別体（２）を振動させて、貝類（３）を選別体（２）の出口側に送り出しながら選別穴（１）よりも小さな貝類（３）を同選別穴（１）から振るい落すようにした貝類自動選別機において、前記選別体（２）の上方に選別体（２）へ貝類（３）を投入するホッパー（４）を設け、ホッパー（４）はその出口が選別体（２）の上流側に向けて設けられ、ホッパー（４）は選別体（２）の振動を介することなく駆動体により直接振動させてホッパー（４）内の貝類（３）を選別体（２）に送り出すことができるようにしたことを特徴とする貝類自動選別機。
【請求項２】
選別穴（１）が多数形成された選別体（２）を振動させて、貝類（３）を選別体（２）の出口側に送り出しながら選別穴（１）よりも小さな貝類（３）を同選別穴（１）から振るい落すようにした貝類自動選別機において、前記選別体（２）がその出口側に下り傾斜に配置され、選別体（２）の上方に選別体（２）へ貝類（３）を投入するホッパー（４）を設け、ホッパー（４）はその出口が選別体（２）の上流側に向けて設けられ、選別体（２）とホッパー（４）を共通の駆動体（５）により別々に振動させ、ホッパー（４）は選別体（２）の振動を介することなく駆動体（５）により直接振動させてホッパー（４）内の貝類（３）を選別体（２）に送り出すことができ、選別体（２）も駆動体（５）により直接振動させて貝類（３）を選別することができるようにしたことを特徴とする貝類自動選別機。
【請求項３】
請求項１又は請求項２記載の貝類自動選別機において、ホッパー（４）を直接振動させる駆動体（５）又は選別体（２）とホッパー（４）とを直接振動させる駆動体（５）を、選別体（２）よりも上方に設置したことを特徴とする貝類自動選別機。
【請求項４】
請求項１乃至請求項３記載の夫々の貝類自動選別機において、ホッパー（４）内にその内部の貝類（３）を外側に送り出す回転式掻き出し具（６）を設けたことを特徴とする貝類自動選別機。
【請求項５】
請求項１乃至請求項３記載の夫々の貝類自動選別機において、ホッパー（４）にその内部の貝類（３）を外部へ送り出すコンベア（７）を設けたことを特徴とする貝類自動選別機。
【請求項６】
請求項１乃至請求項５記載の夫々の貝類自動選別機において、ホッパー（４）内の貝類（３）をホッパー（４）の幅方向に分散させる整流体（９）を、ホッパー（４）内にその上方に突出するように設けたことを特徴とする貝類自動選別機。
【請求項７】
請求項１乃至請求項６記載の夫々の貝類自動選別機において、ホッパー（４）からの貝類（３）の流出量に応じて自動的に開閉してホッパー（４）の出口（４）の開閉量を変える流量調節蓋（８）を、ホッパー（４）の出口側に設けたことを特徴とする貝類自動選別機。
【発明の詳細な説明】
【０００１】
【発明の属する技術分野】
本発明は例えば帆立貝、あこや貝、しじみ等の貝類を大きさ（サイズ）別に選別するのに使用される貝類自動選別機に関するものである。
【０００２】
【従来の技術】
養殖中の帆立貝、あこや貝等の貝類は養殖、出荷等の都合上、サイズ別に選別する必要がある。この選別には自動選別機が使用されている。自動選別機の主なものとしては本件出願人が先に開発して実用新案登録（第２１４２９２４号）された自動選別機がある。この自動選別機は図９、図１０に示すように、上方開口の幅の広い樋状のケース５２の内面にレール状の受具５５を上下に２段に取付け、夫々の受具５５の溝に選別穴５０が多数形成された振動板５１を差込んで選別体６０を形成し、このケース５２を金属製のフレーム５４の内側に前下がり傾斜に配置し、同ケース５２の上部底面に回転軸受６１を取り付け、それをフレーム５４に取り付けられているスイングアーム５７の上方アーム５９に連結し、下段の選別体６０の下部底面を弾力性のあるウレタン製の支持棒６２を介してフレーム５４の前方支軸６４に支持してある。このような構成とすることにより、図９、図１０のモーター５６によりクランクロッド６３を矢印方向に往復移動させてスイングアーム５７の下方アーム６５を同方向に往復させるとフレーム５４に取り付けられている支持軸６６が回動し、それに伴って上方アーム５９が回動し、ケース５２とそれに取り付けられている受具５５とが同方向に往復振動し、受具５５の溝内に差し込まれている振動板５１も前後に振動する。
【０００３】
また、上段の選別体６０の上方にホッパー５３を斜めに配置し、そのホッパー５３の出口の反対側を連結子５８によりケース５２に連結し、出口側をフレーム５４の上面に取り付けたパイプ６７の上にスライドできるようにのせて、モーター５６の回転により前記のようにケース５２が振動すると、その振動が連結子５８を介してホッパー５３に伝達されて前後に振動するようにしてある。この振動によりホッパー５３内の貝類Ａが上段の振動板５１の上に落下し易くなる。落下した貝類Ａは振動板５１の上を振動しながら滑落し、その間にその振動板５１の選別穴５０より外径の小さな貝類Ａが選別穴５０から下段の振動板５１の上に落下して選別され、下段の振動板５１の上に落下した貝類Ａはその振動板５１の上を滑落し、その間に同振動板５１の選別穴５０より外径の小さな貝類Ａが選別穴５０から下方に落下して再度選別されるようにしてある。
【０００４】
【発明が解決しようとする課題】
図９、図１０の自動選別機はこれで十分良く機能するが、あえて挙げれば次の様な課題があった。
１．モーター５６が自動選別機の下方に配置されているため、自動選別機を船上で使用する場合にモーター５６に海水がかかり易く、錆の原因になるため十分な防水処理をする必要あり、そのために多少コスト高になる。
２．ケース５２の振動を連結子５８を介して間接的にホッパー５３に伝達するため、ホッパー５３を十分に振動させるためにはケース５２の振動幅を大きくしたり、振動を強くしたりする必要があり、そのためにはモーター５６の馬力を強くしなければならず、また、ケース５２、受具５５、振動板５１等を強い振動に耐え得る強度にしなければならないためコスト高になり、重さも重くなる。
３．モーター５６をクランクロッド６３、スイングアーム５７、支持軸６６等を介してケース５２の上部底面の回転軸受６１に連結するので、部品点数が多くなり、構造が複雑になり、コスト高になる。
【０００５】
【課題を解決するための手段】
本発明は構造が簡潔で、軽量でありながら貝類を大きさ別に正確に選別することができ、防水性にも優れた貝類自動選別機を提供することを目的とする。
【０００６】
本発明の第１の貝類自動選別機は、選別穴１が多数形成された選別体２を振動させて、貝類３を選別体２の出口側に送り出しながら選別穴１よりも小さな貝類３を同選別穴１から振るい落すようにした貝類自動選別機において、前記選別体２の上方に選別体２へ貝類３を投入するホッパー４を設け、ホッパー４はその出口が選別体２の上流側に向けて設けられ、ホッパー４は選別体２の振動を介することなく駆動体により直接振動させてホッパー４内の貝類３を選別体２に送り出すことができるようにしたことを特徴とする貝類自動選別機。
【０００７】
本発明の第２の貝類自動選別機は、選別穴１が多数形成された選別体２を振動させて、貝類３を選別体２の出口側に送り出しながら選別穴１よりも小さな貝類３を同選別穴１から振るい落すようにした貝類自動選別機において、前記選別体２がその出口側に下り傾斜に配置され、選別体２の上方に選別体２へ貝類３を投入するホッパー４を設け、ホッパー４はその出口が選別体２の上流側に向けて設けられ、選別体２とホッパー４を共通の駆動体５により別々に振動させ、ホッパー４は選別体２の振動を介することなく駆動体５により直接振動させてホッパー４内の貝類３を選別体２に送り出すことができ、選別体２も駆動体５により直接振動させて貝類３を選別することができるようにしたことを特徴とする貝類自動選別機。
【０００８】
本発明の第３の貝類自動選別機は、ホッパーを振動させる駆動体又は選別体とホッパーとを振動させる駆動体を選別体よりも上方に設置したものである。
【０００９】
本発明の第４の貝類自動選別機は、ホッパー内にその内部の貝類を外側に送り出す回転式掻き出し具を設けたものである。
【００１０】
本発明の第５の貝類自動選別機は、ホッパーに、ホッパー内の貝類を外部へ送り出すコンベアを設けたものである。
【００１１】
本発明の第６の貝類自動選別機は、ホッパー内に、貝類をホッパーの幅方向に分散させる整流体をその上方に突出するように設けたものである。
【００１２】
本発明の第７の貝類自動選別機は、ホッパーの出口側にホッパーからの貝類の流出量に応じて自動的に開閉して出口の開閉量を変える流量調節蓋を設けたものである。
【００１３】
【発明の実施の形態１】
本発明の貝類自動選別機の第１の実施の形態を図１、図２、図３に基づいて詳細に説明する。これらの図に示す貝類自動選別機は金属製のフレーム１０の内側に、幅の広い樋状のケース１１を前下がり傾斜に配置してある。ケース１１の両側壁１９の内面には断面形状がコ字形のレール状の支持具１２を上下２段に取付け、上段の対向する２つの支持具１２の溝間と、下段の対向する２つの支持具１２の溝間の夫々に選別穴１が多数形成された金属製、プラスチック製等の振動板１３をのせて選別体２を上下２段に形成してなる。この場合、支持具１２の溝とそれに差し込んだ振動板１３との間に隙間を形成して、振動板１３が溝内で振動できるようにしてある。また、ケース１１を金属製のフレーム１０の内側に前下がり傾斜に配置し、下段の選別体２の下部底面を弾力性のあるウレタン製の支持棒１７を介してフレーム１０に支持してある。
【００１４】
上段の選別体２の振動板１３には中サイズより小さな貝類３を振るい落とすことができる大きさの選別穴１が多数形成され、下段の選別体２の振動板１３には小サイズの貝類３を振るい落とすことができる大きさの選別穴１が多数形成されている。上下の選別体２は同じ長さとし、上段の選別体２の先に上方に跳ね上げて折り畳み可能とした補助滑り台１４を連結して、上段の選別体２を滑り落ちてきた貝類３がその補助滑り台１４の上を滑り落ちて、補助滑り台１４の先方下方に設置してある収納箱１５（図２）に落下するようにし、下段の選別体２の上を滑り落ちてきた貝類３はその先方下方に設置した収納箱１５に落下するようにして、上段の選別体２を滑り落ちてきた貝類３よりも手前に落下するようにしてある。
【００１５】
ケース１１のうち下段の選別体２の下は受部１６としてあり、この受部１６には穴が開けられておらず、下段の選別体２の選別穴１から落下した貝類３を受けて、その貝類３が下方に滑落して図２のように受部１６の先方下方に配置してある収納箱１５に落下するようにしてある。
【００１６】
前記の選別体２を振動させるための駆動体は図３に示すようにモーターＭ、ケース駆動用ロッド２０、ロッドエンド２１、アングル材２２等により構成されている。モーターＭは電気式モーターであり、図１に示すようにホッパー４の後方であって且つフレーム１０の上に配置した受板２４の上に設置してあり、外側を箱形のカバー２５で覆ってモーターＭに水がかからないようにしてある。ケース駆動用ロッド２０は一端に螺子部２６が形成された金属製の棒である。アングル材２２は断面Ｌ字形の金属製の板材であって、内側中央に挿入孔２７が開口された連結板２８を溶接してある。ロッドエンド２１は前記ケース駆動用ロッド２０の螺子部２６を螺合して同ケース駆動用ロッド２０を連結可能な連結部３２の後方に前記アングル材２２の連結板２８に開口された連結孔２７と連通する連結穴３３を開口した球体を連設してなるものである。モーターＭの回転軸の先にプーリー７５（図３ｂ）を取付けると共に、ケース１１の両側壁１９の上面の長手方向中央付近にアングル材２２の両端を夫々溶接し、ホイール７５の偏心位置にケース駆動用ロッド２０の前記螺子部２６とは反対側の端部をピン７６によって回動可能の取付け（図３ｂ）、他端の螺子部２６をロッドエンド２１の連結部３２に螺合して連結し、ケース駆動用ロッド２０が連結されたロッドエンド２１の連結穴３３とアングル材２２の連結板２８に開口された挿入孔２７とを、間にワッシャー７０を挟んで連通させ、連通した連結穴３３及び挿入孔２７にボルト７１を通し、同ボルト７１に反対側から位置決め用の第一ナット７２を螺合し、その隣に固定用の第二ナット７３を螺合して、ボルト７１を軸としてロッドエンド２１を回動可能にアングル材２２に連結する（図３ａ）このときケース駆動用ロッド２０の螺子部２６に突出長調節用の調節ナット７４を螺合しておき、調節ナット７４の位置を変えることでその先に突出する螺子部２６の長さを変え、ケース駆動用ロッド２０のホイール７５への取付け側の端部からロッドエンド２１の連通穴３３までの長さを調節することができるようにしてある。これにより、モーターＭのホイール７５からアングル材２２までの距離が多少変化してもこれに対応することができる。
【００１７】
このように連結することでモーターＭによってホイール７５が回転すると、同ホイール７５の偏心位置に取付けられたケース駆動用ロッド２０は図３の矢印ａ−ｂ方向に往復移動すると共に矢印ｃ−ｄ方向に上下移動し、アングル材２２も同方向に移動する。アングル材２２が矢印ａ−ｂ方向及び矢印ｃ−ｄ方向に往復移動するとアングル材２２が溶接されているケース１１が前後及び上下に往復移動し、それに伴って支持具１２が振動すると共に支持具１２の溝内に差し込まれている振動板１３がその溝内で前後及び上下に振動する。この場合、支持具１２の長手方向両端にストッパー（図示されていない）を設けて、振動する振動板１３が支持具１２の溝の長手方向端部から抜け出さないようにしてある。尚、図３（ｂ）に示すようにホイール７５が回転するとケース駆動用ロッド２０の取付け端は同図に点線で示す円上を移動するため同円の直径Ｌがケース駆動用ロッド２０の前後移動距離ｌとなり、直径Ｈが上下移動距離ｈとなる。
【００１８】
上段の選別体２の上方には貝類３を同選別体２に供給するためのホッパー４を図２に示す様に選別体２の上方にそれと逆向きの下り傾斜に配置してある。ホッパー４は一度に投入した多くの貝類３を溜めて、その貝類３が少しずつ選別体２へ落下するようにするためのものである。
【００１９】
ホッパー４の底面には図３（ａ）に示すように断面Ｌ字形のアングル補強材３５を溶接してある。このアングル補強材３５の垂直部分の上端には貫通孔３６を開口してあり、この貫通孔３６と前記ケース駆動用ロッド２０に連結されたロッドエンド２１と同一構造のロッドエンド２１の連結穴３３を前記同様ワッシャー７０を介して連結し、このロッドエンド２１の連結部３２に前記ケース駆動用ロッド２０とは別のホッパー駆動用ロッド３７の螺子部２６を前記と同様の方法で連結し、このホッパー駆動用ロッド３７の他端をケース駆動用ロッド２０と共にピン７６によって前記ホイール７５の偏心位置に取付けてある（図３ｂ）。ホッパー４の底板４４の底面下部（出口側）は回転自在なローラ３８の上にのせてある（図２）。従って、ホッパー駆動用ロッド３７が前記ケース駆動用ロッド２０と同様に図３の矢印ａ−ｂ方向及び矢印ｃ−ｄ方向に往復移動するとホッパー４が同方向（前後及び上下方向）に往復振動或は揺動する。この場合、ホッパー４の底板４４の底面下部が回転自在なローラ３８の上にのせられているため、ホッパー４は前後に往復スライドし易くなる。このローラ３８はナイロン製のパイプとすることもできる。図３（ｂ）に示したホッパー駆動用ロッド３７とケース駆動用ロッド２０とはホイール７５上の同一位置に取付けてあるが、夫々を異なる位置に取付けることもできる。
【００２０】
図２に示すようにフレーム１０の上部でホッパー４の出口先方には、ホッパー４から選別体２へ送り出される貝類３に水をかけて洗浄するための散水パイプ３９が取付けられている。この散水パイプ３９は樹脂製パイプの底面にその長手方向に均一間隔で多数の散水穴を開口して、同パイプ３９に塩水或は真水を供給すると散水穴から液体が噴出されるようにしたものである。
【００２１】
【発明の実施の形態２】
本発明の貝類自動選別機の第２の実施の形態を図４（ａ）に基づいて詳細に説明する。図４（ａ）に示す貝類自動選別機の基本構成は図１、図２、図３に示すものと同一である。異なるのは選別体２の構造である。図４（ａ）では上方開口の横幅の広いケース１１に取り付ける支持具１２をＬ字状に形成し、その上に両支持具１２間の幅よりも多少幅の狭い振動板１３をのせて、ケース１１が振動して支持具１２が振動すると振動板１３が支持具１２の上で上下、前後、左右のいずれの方向にも自由に移動できるようにしてある。この場合、振動板１３を支持具１２間の幅よりも多少短くし、更に、支持具１２の長手方向下端にダイス状のストッパー６８を、上端にボルト式のストッパー６９を取り付けて、振動板１３が支持具１２の上で前後に振動しても、振動板１３が前後に抜け出さない様にしてある。振動板１３は支持具１２から取外して他の寸法の選別穴１が開口された振動板１３と交換することができる。尚、振動板１３が上下に振動した場合に支持具１２から外れにくくするために，同支持具１２の形状を図４（ｂ）に示すようにＬ字状の支持具１２の垂直部４６の上端に振動板１３方向に下方傾斜する規制板４７を連設することもできる。このとき、規制板４７が振動板１３の上下動を必要以上に規制しないように支持具１２の水平部４８と規制板４７の間の間隔を設定してある。
【００２２】
【発明の実施の形態３】
本発明の貝類自動選別機の第３の実施の形態を図５に基づいて説明する。本実施形態の貝類自動選別機の基本構成は図１、図２、図３の示すものと同一である。異なるのは図５に示すようにホッパー４に、同ホッパー４内の貝類３を外部へ送り出すベルトコンベア７を設けたことである。このベルトコンベア７はホッパー４の周壁２９に回転可能に取付けられた前方回転軸４０と後方回転軸４１の間にゴム製、布製、樹脂製等の無端ベルト４２を掛けてなり、前方回転軸４０の一端に受動プーリー４３を取付けてあり、この受動プーリー４３に図示されていない動力伝達ベルトによって前記モーターＭの回転力を伝達すると前方回転軸４０が回転してベルトコンベア７が回転し、ホッパー４内の貝類３が選別体２の振動板１３の上に送り出されるようにしてある。
【００２３】
図５のベルトコンベア７はその受動プーリー４３に動力伝達ベルトによってモーターＭの回転力を伝達して回転させるようにしてあるが、ベルトコンベア７はそれを回転させるための専用のモーターで回転させるとか、他の駆動方法で回転させることもできる。例えば、振動体２の往復運動を図示されていないクランク機構により回転運動に変換し、この回転運動をベルト又はギヤ等を介してベルトコンベア７に伝達して回転させるようにすることもできる。ベルトコンベア７の回転は選別体２の選別能力に合わせて連続回転にしたり、間欠回転にしたりすることもできる。又、ベルトコンベア７はローラーコンベアとすることもできる。
【００２４】
【発明の実施の形態４】
本発明の貝類自動選別機の第４の実施の形態を図６（ａ）に基づいて説明する。本実施形態の貝類自動選別機の基本構成は図１、図２、図３に示すものと同一である。異なるのはホッパー４内に同ホッパー４内の貝類３を外側に送り出す回転式掻き出し具６を設けたことである。この回転式掻き出し具６は図６（ａ）に示すようにホッパー４の周壁２９の出口側に回転自在に取付けられた回転軸３０の周囲に４枚の羽根３１を９０度間隔で突設し、ホッパー４の周壁２９から外側に突出している回転軸３０の突出部に受動プーリー４３を取付けてあり、この受動プーリー４３に図示されていない動力伝達ベルトによって前記モーターＭの回転力を伝達して回転軸３０を回転させると回転式掻き出し具６が回転して、ホッパー４内の貝類３がホッパー４の外側に送り出されるようにしてある。羽根３１には貝類３を傷つけない様に軟質材を使用するのが望ましく、例えば合成樹脂製とかゴム製のもの等が適する。回転式掻き出し具６は図６（ｂ）に示すように回転軸３０の長手方向に所望間隔で刷毛４５を取付けたものとすることもできる。また、羽根３１を突設する間隔は９０度に限らず所望の間隔とするこができる。
【００２５】
図６の回転式掻き出し具６はその受動プーリー４３に動力伝達ベルトによってモーターＭの回転力を伝達して回転させるようにしてあるが、回転式掻き出し具６はそれを回転させるための専用のモーターで回転させるとか、他の駆動方法で回転させることもできる。例えば、振動体２の往復運動を図示されていないクランク機構により回転運動に変換し、この回転運動をベルト又はギヤ等を介して回転軸３０に伝達して回転させるようにすることもできる。回転式掻き出し具６の回転は選別体２の選別能力に合わせて連続回転にしたり、間欠回転にしたりすることもできる。
【００２６】
【発明の実施の形態５】
本発明の貝類自動選別機の第５の実施の形態を図６に基づいて説明する。本実施形態の貝類自動選別機の基本構成は図１、図２、図３の示すものと同一である。異なるのはホッパー４内に、同ホッパー４内の貝類３を選別体２の振動板１３の上に送り出すときに、重なっている複数枚の貝類３をホッパー４の幅方向に分散させたり、塊まっている多数枚の貝類３を一枚ずつにばらけさせたりするための整流体９を設けたことである。この整流体９はその高さをホッパー４の周壁２９の高さとほぼ同じ高さにして、重なったり、塊まったりしている複数枚の貝類３よりも高くなるようにしてある。このように高くすることにより、ホッパー４内の貝類３が振動板１３の上に滑り落ちるときに、重なり合っている下から上までの複数枚の貝類３を確実に分散させることができ、また、塊まっている下から上までの複数枚の貝類３を確実にばらけさせることができるようにしてある。この整流体９には例えば金属製、プラスチック製等の丸パイプが使用され、それをホッパー４の出口側に縦向きにして所望間隔で複数本配置してなる。整流体９の形状、本数、配列位置等は図示したものに限らず、それ以外のものであってもよい。例えば形状は丸棒、三角棒、六角棒とか、それら形状のパイプ等でも良く、太さも選別する貝類３の大きさに適したものを使用し、配列も横一列に並べる等してもよい。また、これら形状や太さの異なる整流体９を組合わせて設けることもできる。
【００２７】
ホッパー４の出口の先方には図７（ａ）に示す様に、貝類３の流出量に応じて開閉する流量調節蓋８をピン４９により開閉可能に設けることもできる。この流量調節蓋８はホッパー４の出口よりやや広い幅の金属板をホッパー４の出口の先方に隙間を設けて取り付け、ホッパー４から貝類３が送り出されると、その貝類３に押されて自動的に開き、送り出される貝類３の量が少なくなると自重により自動的に閉じるようにして貝類３の流出量を調整できるようにしてある。尚、実施形態１〜５に示すホッパー４はいずれも、底面出口が幅方向に一直線に真直になっているが、ホッパー４の底面出口は図７（ｂ）に示す様に幅方向中央部を幅方向両端側よりも内側に凹陥させてもよい。このようにすると貝類３がホッパー４の幅方向に一段と広がり易くなる。図７（ｂ）ではホッパー４の底面出口を直線的に凹陥させてあるが、曲線的に湾曲させてもよい。
【００２８】
【発明の他の実施の形態】
上記実施例では、ケース１１の内面に設けたコ字形或はＬ字形の支持具１２により支持される振動板１３が振動によって支持具１２の長手方向端部から抜け出さないように同支持具１２の長手方向両端にストッパー（図示されていない）を設けたり、支持具１２の長手方向下端にダイス状のストッパー６８を、上端にボルト式のストッパー６９を取り付けたりしたが、振動板１３の抜けを防止するためには、図８に示すように樋状のケース１１の先端開口部に開閉蓋７０を設け、この開閉蓋７０を閉じると支持具１２の長手方向端部が閉塞され、振動板１３がそこから抜け出さないようにすることもできる。この開閉蓋７０は図８（ａ）、（ｂ）に示すように、その下端をケース１１の開口部の下方に固定された取付板７１に蝶番７２によって取付けることで同図の矢印ａ−ｂ方向に開閉自在とすると共に、上端には係止具７３を取付け、この係止具７３をケース１１の上方に取付けた係止板７７に係止させることによりケース１１の開口部を閉口した状態で固定できるようにしてある。この係止具７３は同図（ｃ）に示すように先端を折曲げてフック７４を形成した係止部７５と同係止部７５を操作する操作ハンドル７６とからなり、操作ハンドル７６を矢印ｃ方向へ回動させると係止部７５が矢印ｅ方向に移動して係止部７５の先端のフック７４が係止板７７に係止して固定され、逆に操作ハンドル７６を矢印ｄ方向へ回動させると係止部７５が矢印ｆ方向へ移動して係止部７５のフック７４と係止板７７の係止が解除されるようにしたものである。尚、係止具７３は図示したもの以外のものとすることもできる。
【００２９】
【発明の効果】
本発明の第１の貝類自動選別機は、ケース１１の振動を間接的にホッパー４に伝達してホッパー４ーを振動させるのではなく、ホッパー４を選別体２の振動で振動させるのではなく、駆動体５によって直接振動させるため次のような効果を有する。
１．ホッパー４を振動させるためにケース１１の振動幅を大きくしたり、振動を強くしたりする必要がないため、選別体２を振動させる駆動体の馬力を強くする必要がない。
２．ケース１１の振動幅を大きくしたり、振動を強くしたりする必要がないため、ケース１１、受具１２、振動板１３等を強い振動に耐え得る強度とする必要もない。
３．構造が簡潔であるため実用化が容易であり、安価に作製することもできる。
【００３０】
本発明の第２の貝類自動選別機は上記効果に加えて次の様な効果がある。
１．選別体２とホッパー４とを共通の駆動体５により別々に直接振動させて、ホッパー４内の貝類３を選別体２に送り出すようにしたので、さらに部品点数が少なくなり構造が簡潔になる。
【００３１】
本発明の第３の貝類自動選別機は上記効果に加えて次の様な効果がある。
１．駆動体５を選別体２よりも上方に設置したので、同駆動体に水がかかりにくくなり駆動体の防水性が向上する。特に船上で使用する場合には駆動体に波しぶき等がかかりにくくなる。
【００３２】
本発明の第４又は第５の貝類自動選別機には次のような効果がある。
１．ホッパー４内にその内部の貝類３を外側に送り出す回転式掻き出し具６又はコンベア７を設けたのでホッパー４内に一度に多くの貝類３を投入しても、同ホッパー４内の貝類３がスムースに選別体２の上に排出され、ホッパー４内の貝類３を送り出すための作業者が不要になり、大幅な省力化を図ることができる。
【００３３】
本発明の第６の貝類自動選別機には次のような効果がある。
１．ホッパー４内に、貝類３をホッパー４の幅方向に分散させる整流体９をその上方に突出するように設けたので、ホッパー４に供給された貝類３がホッパー４内を滑り落ちる間に整流体９に当たって整流体９の横方向に分散され、重なったり、塊まったりしていた貝類３がばらけてホッパー４の出口の幅方向全域に分散され、選別体２の振動板１３の幅方向全域に一枚ずつ、ほぼ均等量ずつ落下する。このため、振動板１３の上を貝類３が重なり合って流れることが殆ど無くなり、貝類３が確実に選別され、選別精度、選別能率が向上する。また、ホッパー４の振動によりホッパー４内で多数の貝類３が絡まり合って塊まることがなく、一枚ずつばらけ易くなり、ホッパー４の幅方向全域に分散される。
２．振動板１３上の貝類３を人手により分散させる必要がないので作業者の負担が軽くなる。
３．構造が簡潔なため実用化が容易であり、安価に製作することもできる。
４．整流体９を棒状、パイプ状とし、これをホッパー４に縦向きにして配置すれば、ホッパー４内で重なったり、塊まったりしていた貝類３がホッパー４内においてばらけてホッパーの出口の幅方向全域に分散され、振動板１３の幅方向全域に一枚ずつ、ほぼ均等量ずつ落下する。
５．整流体９をホッパー４に縦向きにして所望間隔で複数本配置すれば、貝類３が複数本の整流体９に当たってより一層ばらけたり、分散したりし易くなり、しかも、整流体９の間に間隔を設けてあるので、貝類３の流れが阻害されることもなく、振動板１３の幅方向全域に一枚ずつ、ほぼ均等量ずつ落下する。
【００３４】
本発明の第７の貝類自動選別機には次のような効果がある。
１．ホッパー４の出口側に貝類３の流出量に応じて開閉する流量調節蓋８を設けたので、ホッパー４から送り出される貝類３が一度に大量に選別体２の上に落下することがなく、選別体２の上の貝類３の流れがスムースになり、選別精度が向上する。
【図面の簡単な説明】
【図１】  本発明の貝類自動選別機の第１の実施形態を示す斜視図。
【図２】  図１に示す貝類自動選別機の縦断側面図。
【図３】  （ａ）は図１に示す貝類自動選別機の構造を示す分解説明図、（ｂ）はホイール７５へのケース駆動用ロッド２０及びホッパー駆動用ロッド３７の取付け状態を示す説明図。
【図４】  （ａ）は本発明の貝類自動選別機の第２の実施形態を示す斜視図、（ｂ）は選別体２の異なる例を示す部分説明図。
【図５】  本発明の貝類自動選別機の他の実施形態におけるホッパー４を示す斜視図。
【図６】  （ａ）、（ｂ）はホッパー４の異なる例を示す斜視図。
【図７】  （ａ）、（ｂ）はホッパー４のさらに異なる例を示す側面説明図。
【図８】  （ａ）、（ｂ）は開閉蓋７０を示す説明図、（ｃ）は係止具７３の一例を示す説明図。
【図９】  従来の貝類自動選別機を示す斜視図。
【図１０】  従来の貝類自動選別機を示す縦断側面図。
【符号の説明】
１  選別穴
２  選別体
３  貝類
４  ホッパー
５  駆動体
６  回転式掻き出し具
７  コンベア
８  流量調整蓋
９  整流体
【図１】
0003962461.tif 000002
【図２】
0003962461.tif 000003
【図３】
0003962461.tif 000004
【図４】
0003962461.tif 000005
【図５】
0003962461.tif 000006
【図６】
0003962461.tif 000007
【図７】
0003962461.tif 000008
【図８】
0003962461.tif 000009
【図９】
0003962461.tif 000010
【図１０】
0003962461.tif 000011